(57)【要約】【課題】今までにない斬新な演出を表現できるとともに、リサイクル性、経済性に優れ、構成部品を容易かつ確実に取り付け可能な演出用装飾体を提供する。【解決手段】箱状のベース部材５０の空間部５１に下げ部材６０を配置し、空間部５１を正面側から覆うカバー部材５８を取り付け、下げ部材６０の背面側には正面側に表示シート８３を装着した背面塞ぎ部材８０を固定する。このとき、背面塞ぎ部材８０に設けられた前面突起８５が、下げ部材６０の本体部６１の背面部６１Ｄを押圧し、本体部６１の正面部がベース部材５０に設けられた下げ部材受け部５０Ｄに圧接され、下げ部材６０がベース部材５０に強固に固定される。【選択図】図５
2008023207.tif 000002
【特許請求の範囲】
【請求項１】
遊技機の正面に着脱自在に取り付けられる演出用装飾体であって、
正面側及び背面側が開放又は開口する箱状のベース部材と、
駆動装置を内蔵した本体部及び本体部に取り付けられる下げ部から構成され、前記ベース部材の内部に形成される空間部に前記下げ部を配置させて、前記ベース部材に固定される下げ部材と、
正面側に表示シートを装着して成り、前記下げ部材の背面側に前記表示シートが位置するようベース部材に固定される板状の背面塞ぎ部材と、
前記ベース部材に固定され前記空間部を正面側から覆うとともに、前記下げ部材の下げ部及び前記背面塞ぎ部材の表示シートを正面側から視認可能とする透光性を有するカバー部材とを少なくとも備え、
前記ベース部材は、前記下げ部材の本体部を支持固定するための下げ部材支持手段と、前記下げ部材の取り付け時に前記本体部の正面部と当接する下げ部材受け部とを有し、
前記背面塞ぎ部材は、前記表示シートの装着時に表示シートを適位置に保持することができる前面突起を有し、この前面突起は、前記背面塞ぎ部材のベース部材への固定時に、前記下げ部材支持手段に支持固定された前記下げ部材の本体部の背面部と当接可能に形成されており、
前記下げ部材をベース部材に取り付けた状態で前記背面塞ぎ部材をベース部材に固定することにより、前記前面突起が前記本体部の背面部を押圧するとともに本体部の正面部が前記下げ部材受け部に圧接され、前記下げ部材が前記ベース部材に強固に固定されることを特徴とする演出用装飾体。
【請求項２】
前記下げ部材は、光源及び光源の周囲を旋回可能に設けられた回転反射板を備え、この回転反射板を旋回させるための駆動装置を前記本体部に内蔵するとともに、この本体部に、前記下げ部として、前記光源及び回転反射板を内部に位置させて光源が発する照射光を外部に照射可能な透光性を有する防風部を取り付けた回転灯装置、であることを特徴とする請求項１記載の演出用装飾体。
【請求項３】
前記背面塞ぎ部材は、前記ベース部材への取り付け時に正面側が発光する面発光体と、前記面発光体の前面に装着される透光性を有する表示シートとを有し、前記面発光体の発光により前記表示シートを背面側から照射するように形成されていることを特徴とする請求項１又は２記載の演出用装飾体。
【発明の詳細な説明】
【技術分野】
【０００１】
この発明は、遊技機の正面に装着される演出用デバイスを搭載した装飾体に関するものである。
【背景技術】
【０００２】
従来より、スロットマシンなどの遊技機においては、前扉の上部にアーチランプや液晶などが取り付けられており、これらを用いて種々の演出が行われるように形成されている。例えば、特許文献１に示すように、遊技機の演出用デバイスとして回転警告灯を用いたものが知られている。
一方、特許文献２に示すように、遊技機のリサイクルを効率よく行う観点から、リサイクル可能部品とリサイクル不可部品を遊技機の機種やシリーズに応じてブロック分けし、これらをブロック単位で扉本体から着脱自在に形成した遊技機が考案されている。
【特許文献１】特開２００４−７３３２５号公報
【特許文献２】特開２００５−１５２４８３号公報
【発明の開示】
【発明が解決しようとする課題】
【０００３】
しかし、上記した従来の演出用装飾体においては、ランプの点灯点滅や液晶画面への画像表示といった二次元的演出表現が主体であって、インパクトのある演出を行うには限度があった。
また、演出用装飾体に種々の演出用ユニットを着脱自在に形成した場合には、それらの構成部品を容易に取り付け取り外しすることが求められる。一方、上記回転灯のように駆動装置を備えた演出用ユニットを設けた場合、駆動装置の駆動に伴う振動で騒音が発生したり取り付けネジが緩んだりするのを防止するため、演出用ユニットを確実に固定することも要求される。
【０００４】
そこで、本願発明は、今までにない斬新な演出を表現できるとともに、リサイクル性、経済性に優れ、構成部品を容易かつ確実に取り付け可能な演出用装飾体を提供することを目的とする。
【課題を解決するための手段】
【０００５】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技機（スロットマシンS）の正面に着脱自在に取り付けられる演出用装飾体（上扉装飾体６）であって、正面側及び背面側が開放又は開口する箱状のベース部材(50)と、駆動装置（駆動モータ68）を内蔵した本体部（本体ケース61）及び本体部(61)に取り付けられる下げ部（レンズ63）から構成され、前記ベース部材(50)の内部に形成される空間部(51)に前記下げ部(63)を配置させて、前記ベース部材(50)に固定される下げ部材（回転灯ユニット60）と、正面側に表示シート(83)を装着して成り、前記下げ部材(60)の背面側に前記表示シート(83)が位置するようベース部材(50)に固定される板状の背面塞ぎ部材（バックライトユニット80）と、前記ベース部材(50)に固定され前記空間部(51)を正面側から覆うとともに、前記下げ部材(60)の下げ部(63)及び前記背面塞ぎ部材(80)の表示シート(83)を正面側から視認可能とする透光性を有するカバー部材（正面カバー58）とを少なくとも備えている。
【０００６】
本発明に係る演出用装飾体(6)は、遊技場に設置される遊技機、例えばスロットマシンやそれに類する遊技機に使用されるものである。
ここで、前記遊技機(S)は、筐体(1)と前扉(3)を有していてもよく、演出用装飾体(6)は前扉(3)の正面に取り付けられるものであってもよい。また、「着脱自在」とは、演出用装飾体(6)を分解することなく、例えばネジ数本を取り外すことで本体ごとごっそりと遊技機(S)から分離できることを意味するものである。
前記ベース部材(50)は、例えば中空の方形箱形部材とすることができ、少なくとも正面側及び背面側が開放又は開口している。「開放又は開口」するとは、ベース部材(50)の正面側及び背面側が塞がれていない意味であり、ベース部材(50)の正面板及び背面板に開口部が設けられている場合や、ベース部材(50)に正面板及び背面板が無い場合も含むものである。
【０００７】
前記「下げ部材」は、例えばランプ(65)の周りを回転反射板(64)が旋回するようにした回転灯ユニット(60)や、駆動装置や連動機構を内蔵する役物駆動部(110)から吊り下げられ、駆動装置によって回転や上下動するように形成されたキャラクターのフィギアや模型などの役物（吊り下げ役物100）とすることができる。なお、前記「本体部」とは、下げ部材(60)をベース部材(50)に固定するための部分であって、回転灯ユニット(60)の駆動モータ(68)を収納固定した本体ケース(61)や前記役物駆動部(110)を収納固定したケースがこれにあたる。また前記「下げ部」は、「本体部」の下方に取り付け又は吊り下げられる部分であって、回転灯のランプ(65)及び回転反射板(64)を覆う防風部（レンズ63）や、前記吊り下げ役物(101)がこれにあたる。なお、前記下げ部(63)は、本体部(61)に連結されたつなぎ部(62)に取り付けられていてもよい。
【０００８】
前記「背面塞ぎ部材」は、板状又は薄型箱状の本体（ベースケース81）の正面側に表示シート(83)を装着したものであり、内部に蛍光ランプやＬＥＤ素子(86)などの発光手段や導光板(82)などを収納可能であってもよい。そして、本体ベース(50)に取り付けることにより、本体ベース(50)の空間部(51)を背面側から塞ぐことができるものである。
また、前記表示シート(83)は、背面塞ぎ部材(80)の本体(81)に着脱自在に取り付けられるもので、キャラクターの絵や遊技機の機種を表す文字図形等を印刷したフィルムとすることができる。表示シート(83)は透光性を有していてもよく、背面塞ぎ部材(80)は、この透光性を有する表示シート(83)を、背面側から発光手段で照射するように形成されていてもよい。
【０００９】
前記カバー部材(58)は、ベース部材(50)に着脱自在に取り付けられ、ベース部材(50)の空間部(51)を前面から覆うことができるものであり、ベース部材(50)の正面側だけでなく側面側を覆うことができるように形成されていてもよい。カバー部材(58)は、例えば透明なアクリル板などにより形成することができるが、透光性を有する物であれば透明でなくてもよい。
さらに、前記ベース部材(50)は、前記下げ部材(60)の本体部(61)を支持固定するための下げ部材支持手段（回転灯支持部59B、回転灯固定部59C）と、前記下げ部材(60)の取り付け時に前記本体部(61)の正面部と当接する下げ部材受け部（回転灯受け部50D）とを有している。また、前記背面塞ぎ部材(80)は、前記表示シート(83)の装着時に表示シート(83)を適位置に保持することができる前面突起（ボス85）を有しており、この前面突起(85)は、前記背面塞ぎ部材(80)のベース部材(50)への固定時に、前記下げ部材支持手段(59B,59C)に支持固定された前記下げ部材(60)の本体部(61)の背面部(61D)と当接可能に形成されている。
【００１０】
そして、前記下げ部材(60)をベース部材(50)に取り付けた状態で前記背面塞ぎ部材(80)をベース部材(50)に固定することにより、前記前面突起(85)が前記本体部(61)の背面部(61D)を押圧するとともに本体部(61)の正面部が前記下げ部材受け部(50D)に圧接され、前記下げ部材(60)が前記ベース部材(50)に強固に固定されることを特徴とする。
ここで、下げ部材支持手段(59B,59C)は、ネジ孔を有する突起や本体部(61)を係止可能な突部とすることができ、前記下げ部材(60)の本体部(61)にも、下げ部材支持手段(59B,59C)と固定可能な孔やネジ孔を設けることができる。また、前記下げ部材受け部(50D)は、例えばベース部材(50)の正面上側に設けられた垂下壁の裏側面、又は当該面に設けられた当接部材とすることができる。なお、ベース部材(50)には、背面塞ぎ部材(80)を固定するための固定部も設けられている。
【００１１】
前記前面突起(85)は、背面塞ぎ部材(80)の本体に表示シート(83)を装着する際の位置決め部材や、表示シート(83)を固定する固定部材として機能するものである。具体的には、例えば表示シート(83)に形成された開口部に挿入することにより表示シート(83)を定位置に配置可能とする柱状の突部や、表示シート(83)の端部を係止する爪部とすることができる。
なお、「本体部(61)の背面部(61D)と当接可能」とは、前面突起(85)がそのような位置に設けられ、かつそのような寸法で形成されていることを意味するものである。また「前面突起」は複数あってもよく、複数の「前面突起」のうちいずれか一つが、本体部(61)の背面部(61D)に当接可能に形成されているのであってもよい。
【００１２】
（作用）
本発明においては、ベース部材(50)にカバー部材(58)及び下げ部材(60)を固定した後、表示シート(83)を装着した背面塞ぎ部材(80)を取り付けることにより、カバー部材(58)と背面塞ぎ部材(80)により閉塞された空間部(51)の内部に、下げ部材(60)の下げ部(63)が位置することとなる。この際、下げ部材(60)の本体部(61)が、背面塞ぎ部材(80)の前面突起(85)と下げ部材受け部(50D)に前後方向から挟持され、下げ部材(60)がベース部材(50)に強固に固定される。これにより、本体部(61)に収納された駆動装置(68)が駆動しても、その振動により下げ部材(60)ががたつくことがなく、騒音や固定部材（ネジ）の緩みを防止できるものである。
【００１３】
このように、本体部(61)と下げ部材支持手段(59B,59C)との固定力がそれほど強力でなくとも、下げ部材(60)が確実に固定されるので、例えば本体部(61)と下げ部材支持手段(59B,59C)を固定するネジの数や係合部の数を減らすことができ、取り付け作業の工程を減らすことができる。
そして、各構成部品を装着したベース部材(50)を遊技機(S)の正面に固定することにより、演出用装飾体(6)が遊技機(S)に固定され、正面側からは、カバー部材(58)を通して、空間部(51)に配置される下げ部(63)と、その後ろ側の表示シート(83)を視認することができるものである。
【００１４】
本発明によれば、「下げ部材」を駆動装置で作動（位置変動又は変形）させることにより、当選の報知その他の演出表示を行わせることができる。また、本発明では、空間部(51)の中に立体的な演出用ユニットを配置できるので、演出用装飾体(6)が前面に飛び出たような印象を与え、従来にない斬新なデザインの遊技機を提供することができる。  また、演出用装飾体(6)は遊技機に着脱自在となっているので、機種交換の際には演出用装飾体(6)のみを取り外して、新機種に対応した演出用装飾体(6)を取り付ければよく、筐体や前扉を交換する必要がない。さらに、下げ部材(60)、背面塞ぎ部材(80)は、ベース部材(50)に着脱自在であるため、取り付け部分のみ共通にしておけば、異なる種類の演出用ユニットを取り付け可能であり、ベース部材(50)及びカバー部材(58)は何度も再利用できるとともに、装着される演出用ユニット自体も再利用可能である。例えば、背面塞ぎ部材(80)は、表示シート(83)を取り替えるだけで本体はそのまま再利用できる。
【００１５】
（請求項２）
（特徴点）
請求項２記載の発明は、上記した請求項１記載の発明の特徴点に加え、次の点を特徴とする。
すなわち、請求項２記載の発明は、前記下げ部材(60)は、光源（ランプ65）及び光源(65)の周囲を旋回可能に設けられた回転反射板(64)を備え、この回転反射板(64)を旋回させるための駆動装置（駆動モータ68）を前記本体部(61)に内蔵するとともに、この本体部(61)に、前記下げ部として、前記光源(65)及び回転反射板(64)を内部に位置させて光源(65)が発する照射光を外部に照射可能な透光性を有する防風部（レンズ63）を取り付けた回転灯装置（回転灯ユニット60）であることを特徴とする。
【００１６】
本発明は、「下げ部材」を具体的に特定したものである。
本発明によれば、光源(65)の照射光と回転反射板(64)の旋回に伴う照射光の回転変位によって、当選の報知その他の演出表示を行わせることができる。
（請求項３）
（特徴点）
請求項３記載の発明は、上記した請求項１又は２記載の発明の特徴点に加え、次の点を特徴とする。
すなわち、請求項３記載の発明は、前記背面塞ぎ部材(80)は、前記ベース部材(50)への取り付け時に正面側が発光する面発光体と、前記面発光体の前面に装着される透光性を有する表示シート(83)とを有し、前記面発光体の発光により前記表示シート(83)を背面側から照射するように形成されていることを特徴とする。
【００１７】
本発明は、「背面塞ぎ部材」を具体的に特定したものである。
ここで、前記「面発光体」は、正面側から見て対峙する前面が発光しているように見えるものであればよく、例えば、すりガラスの内部に蛍光ランプを内蔵したものや、端面部から取り込んだ光を、背面塞ぎ部材(80)への取り付け時に正面となる面から拡散させることができる導光板(82)とすることができる。
本発明によれば、「下げ部材」の位置変動や点灯点滅と、背面塞ぎ部材(80)の表示面の発光とを組み合わせて、より多彩な当選の報知その他の演出表示を行わせることができる。
【発明の効果】
【００１８】
本発明は、以上のように構成されているので、今までにない斬新な演出を表現できるとともに、リサイクル性、経済性に優れ、構成部品を容易かつ確実に取り付け可能な演出用装飾体を提供することができる。
【発明を実施するための最良の形態】
【００１９】
本発明を実施するための最良の形態を、遊技機としてスロットマシンを例に、図面に基づき説明する。
（図面の説明）
図１乃至図１９は、本発明の実施の形態を示すものである。
図１及び図２はスロットマシンの斜視図、図３乃至図１０は上扉装飾体を表す図、図１１乃至図１４は回転灯ユニットを表す図、図１５及び図１６はスピーカボックスを表す図、図１７乃至図１９はバックライトユニットを表す図である。なお、図２０は本発明の他の実施の形態を示す図である。
【００２０】
本実施の形態におけるスロットマシンＳは、図２に示すように、大きく分けて、正面側に開口部11を有する筐体１、筐体１内部に着脱自在に設けられる交換ユニット２、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
（筐体１）
筐体１は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には電源ユニット４が固定され、ホッパーユニット５が設置されている。
【００２１】
ここで、電源ユニット４は、特に図示しないが電源装置が内装されていると共に、ホール管理者が種々の設定を行うためのスイッチ等を有している。ホッパーユニット５はメダルを貯留するとともに入賞時等にはメダルを払い出す払い出し装置である。電源ユニット４及びホッパーユニット５は、いわゆる「面替え」に際し、必ずしも交換する必要のないものであり、遊技機交換時には設置されたままにしておけるようになっているものである。
また、正面左側の側板16には、前記上扉30及び下扉40を係合させ、回転自在に支持するためのヒンジ19が、上下方向に間隔をおいて二つずつ設けられている。
【００２２】
（交換ユニット２）
交換ユニット２は、種々の部品を設置あるいは固定するための支持体21と、この支持体21に固定されたリールユニット20及び基板ユニット24とから形成されている。
支持体21は、方形状の金属枠からなり、リールユニット20及び基板ユニット24を筐体内部に着脱自在に固定するとともに、リールユニット20及び基板ユニット24を一体的に取り扱い可能とするものである。なお、支持体21は、他の構成部品（例えば演出用の表示装置）を固定設置可能であってもかまわない。
ここで、リールユニット20は、スロットマシンＳの主たる遊技装置であって、周囲に複数の図柄を表示した３個の回転リール23と、特に図示しないが、各回転リール23を回転させるための駆動モータを有している。また、前記基板ユニット24は、基板ケース内に種々の電子部品を搭載した制御基板を収納したものであり、遊技及びスロットマシンＳの作動を制御するための主基板24Aと、各種演出を行うための副基板24Bを備えている。
【００２３】
交換ユニット２は、筐体１の中板12の上に乗せ、開口上部13内部に収納されるものである。そして、筐体１の側板16の内側に設けられたクリップなどの固定装置（図示せず）によりに固定される。
（上扉30）
上扉30は、筐体１のヒンジ19に回転自在に軸支された板状の扉であり、図１に示すように、略中央部に前記回転リール23を正面側から見ることができる図柄表示窓31Aを有し、図柄表示窓31Aの上方には、演出表示を行うための上扉装飾体６が設けられている。すなわち、上扉30は、図３に示すように、上扉30の骨格となる扉枠32に、前記図柄表示窓31Aを有する上パネル31が固定されているとともに、扉枠32の正面側に設けられた装飾体固定部32A,32Bを介して、上扉装飾体６を着脱自在に取り付け可能な構成となっている。
【００２４】
ここで、装飾体固定部32A,32Bは、後述する上扉装飾体６の背面側に設けられたネジ孔を有する扉枠固定部59F,59Gと合致する貫通孔であり、扉枠32の背面側から図示しないネジでネジ止めすることにより、上扉装飾体６を固定することができるものである。
また、図２及び図３に示すように、扉枠32の高さ方向中央部よりやや上側の左右両端部には、音声を出力するためのスピーカ装置35が裏面側から取り付けられている。そして、扉枠32の正面側に設けられた開口部から、スピーカ装置35のスピーカコーンが正面側に向かって配置されている。
上扉30を閉じると、ヒンジ19の反対側に設けられたラッチ錠により自動的にロックされ、筐体１の開口上部13が密閉される。また、下扉40を解放した状態で、特に図示しないが扉枠32の下側に設けられた解除つまみを下方に引き下げることにより、上扉30のロックが解除されるようになっている。
【００２５】
（下扉40）
下扉40は、筐体１のヒンジ19に回転自在に軸支された上扉30よりも幅厚の扉であり、図１に示すように、下扉40の上部は、スロットマシンＳを作動させるためのカウンター状の操作部41となっている。また、下扉40の下部には、ホッパーユニット５から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、前扉３を解錠するためのものである。
【００２６】
なおスロットマシンＳは、主基板24Aにより行われる当選判定の抽選結果が所定の当選役に当選し、前記ストップスイッチ45の操作により当選図柄が入賞の態様となるように回転リール23を停止させることができると入賞となり、ホッパーユニット５からメダルが払い出されたり、ボーナスゲームなどの有利な遊技が開始されるようになっている。
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
【００２７】
（上扉装飾体６）
次に、上扉装飾体６の詳細な構成を説明する。ここで、図４は上扉装飾体６の正面図、図５乃至図７は、図４のＡ−Ａ線断面図、Ｂ−Ｂ線断面図、Ｃ−Ｃ線断面図をそれぞれ示すものである。
上扉装飾体６は、図１及び図３に示すように、上扉30の正面上部に着脱自在に固定される演出用ブロックであって、中空箱形の本体ベース50に種々の演出用デバイスを取り付けた構造になっている。具体的には、図３に示すように、本体ベース50の正面上側中央部及び正面上側角隅部には電飾体90が、正面下側の左右にはスピーカボックス70がそれぞれ設けられている。また、本体ベース50の内部には、回転灯ユニット60が設けられ、この回転灯ユニット60の背面側には、発光面88を有するバックライトユニット80が設けられている。
【００２８】
そして、本体ベース50の正面は、透明なプラスチックにより成型した正面視略Ｙ字型の正面カバー58により覆われており、図４に示すように、この正面カバー58を通して、正面側から前記回転灯ユニット60のレンズ63及びバックライトユニット80の発光面88を見ることができるようになっている。
（本体ベース50）
本体ベース50は、図５及び図９に示すように、正面側から背面側に貫通する空間部51を有する中空の枠部材であって、上扉30の扉枠32に取り付けられる方形の固定枠50Cの上部から手前側（本体ベース50を扉枠32に取り付けたときの正面側）に張り出す庇部50Aと、固定枠50Cの下部から手前側に張り出す底部突起50Bを有している。
【００２９】
前記庇部50Aには、電飾体90を取り付けるための電飾体取り付け部55,55'が設けられている。ここで、電飾体90は、透光性のある着色カバー（ランプカバー92,93）の内部に発光体91を設けたものであり（図５参照）、発光体91を点灯・点滅させて入賞の報知その他の演出を行うためのものである。各電飾体取り付け部55,55'には、ＬＥＤ素子や電球などの発光体91が設けられているとともに、庇部50Aの中央部にある電飾体取り付け部55'にはランプカバー93が、庇部50Aの左右の角隅部にある電飾体取り付け部55にはランプカバー92が、それぞれ取り付けられるようになっている。
また、庇部50Aの左右に位置する電飾体取り付け部55には、ランプカバー92を固定するためのランプカバー固定部56と、正面カバー58を固定するための正面カバー固定部57がそれぞれ設けられている。ここで、前記ランプカバー固定部56は、図７及び図８に示すように、庇部50Aの下方に形成された貫通孔であって、背面側からネジＰを挿通させることができるものである。また、前記正面カバー固定部57は、前記ランプカバー固定部56よりも外側下方に設けられたネジ孔であって、正面側からネジＱをねじ込むことができるものである。なお、ランプカバー92と正面カバー58は、上扉装飾体６を扉枠32に装着したままで、本体ベース50から着脱自在となっているが、これについては後述する。
【００３０】
前記底部突起50Bの左右の角隅部には、スピーカボックス70を収納するためのスピーカボックス収納部53が形成されており、前記空間部51の下側中央部、すなわち二つのスピーカボックス収納部53,53の間には、下方に窪んだ凹空間部52が形成されている。そして、凹空間部52の両側、すなわち二つのスピーカボックス収納部53,53の上側は、一段高くなった段部であるステージ部54,54となっている。また、ステージ部54の上面には、開口部54Aが形成されており、この開口部54Aは、スピーカボックス70の上面75が嵌り込む形状に形成されている。そして、スピーカボックス収納部53にスピーカボックス70を収納すると、開口部54Aがスピーカボックス70の上面75によって塞がれるようになっている（図６参照）。
【００３１】
さらに、本体ベース50の背面側には、図１０に示すように、上扉装飾体６の演出用構成部品を支持固定するとともに、上扉装飾体６を上扉30に固定するための背面固定部59が設けられている。背面固定部59としては、バックライトユニット80を固定又は支持するためのバックライト固定部59A及びバックライト支持部59D、回転灯ユニット60を支持及び固定するための回転灯支持突起59B及び回転灯固定部59C、スピーカボックス70を固定するためのスピーカボックス固定部59E,59Fがそれぞれ設けられており、さらに、本体ベース50を上扉30の扉枠32に固定するための扉枠固定部59F,59Gが設けられている。ここで、前記バックライト固定部59A、回転灯固定部59C、スピーカボックス固定部59E,59F、及び扉枠固定部59F,59Gは、それぞれネジ孔を有しており、所定のネジを螺合することができるようになっているものである。
【００３２】
そして、図１４に示すように前記庇部50Aの下方に回転灯ユニット60を固定すると、図４に示すように、前記凹空間部52に回転灯ユニット60のレンズ63が位置するようになっており、さらに、本体ベース50の背面側からバックライトユニット80を取り付け、正面側から正面カバー58を取り付けると、空間部51が閉塞されるようになっている。
（ランプカバー92及び正面カバー58）
庇部50Aの上側隅角部に設けられるランプカバー92には、図７及び図８に示すように、背面側に突設されたカバーネジ部92aが設けられており、ランプカバー固定部56とカバーネジ部92aを合致させて、背面側からネジＰでネジ止めすることにより、本体ベース50にランプカバー92が固定されるようなっている。そして、上扉30の背面側からネジＰを外すことにより、扉枠32に本体ベース50を固定したままで、本体ベース50からランプカバー92を取り外すことができるようになっている。
【００３３】
一方、正面カバー58には、ネジ挿通孔58aが設けられており、正面カバー固定部57とネジ挿通孔58aを合致させて、正面側からネジＱでネジ止めすることにより、本体ベース50に正面カバー58が固定されるようになっている。そして、正面側からネジＱを外すことにより、本体ベース50から正面カバー58を取り外すことができるようになっている。
さらに、図７に示すように、正面カバー固定部57は、ランプカバー92を取り外さないと露出しない位置に形成してある。従って、正面カバー58を取り外す場合には、まずランプカバー92を取り外さなければならない。
（回転灯ユニット60）
回転灯ユニット60は、図４に示すように、本体ベース50の庇部50Aの下方に固定される演出用ユニットであって、図１１に示すように、本体ケース61と、つなぎ部62と、レンズ63を有している。ここで、本体ケース61は駆動モータ68その他の駆動部品を収納するためのケースであり、レンズ63は内蔵されるランプ65の光を透過させる断面略Ｕ字型の着色カバーである。また、つなぎ部62は、本体ケース61にレンズ63を取り付けるためのものである。そして、レンズ63の内部に配置された回転反射板64を回転させることにより、ランプ65の光が投射される方向を回転変位させることができるようになっている。
【００３４】
前記本体ケース61は、図１２及び図１３に示すように、底部（本体ベース50への取り付け時において下方となる側）が開口する筒体であって、底部開口の対向側の表面（本体ベース50への取り付け時において上面となる面）には、立設された板部材に貫通孔を有する位置決め部61Bが二つ並んで設けられている。また、本体ケース61の両側面（本体ベース50への取り付け時において左右となる側面）には、横方向に張り出し貫通孔を有する取り付け部61Cが設けられている。そして、前記位置決め部61Bの貫通孔には、回転灯支持突起59Bを挿入させることができ、位置決め部61Bの貫通孔に回転灯支持突起59Bを挿入させた状態で、回転灯固定部59Cのネジ孔と前記取り付け部61Cの貫通孔が合致するようになっている。
【００３５】
また、本体ケース61の内部には、図１３（Ａ）に示すように、開口部を塞ぐベースプレート61Aが嵌め込まれているとともに、ベースプレート61Aの内側（本体ケース61の筒内側）には、モータ軸の先端にモータギア68Aを有する駆動モータ68が内蔵されている。前記モータギア68Aは、前記ベースプレート61Aから外側（反駆動モータ68側）に突出しており、ベースプレート61Aの外面には、前記モータギア68Aと噛合する減速ギア68Bと、支持部材69が取り付けられている。ここで、減速ギア68Bは、図１３（Ｂ）に示すように、大歯車と小歯車が同軸に形成された二段ギアであり、減速ギア68Bの大歯車とモータギア68Aが噛合する位置に取り付けられている。また、前記支持部材69には、ランプ65を取り付けるためのソケット67が固定されているとともに、反射板固定部66が水平方向に回転可能に取り付けられている。
【００３６】
ここで、反射板固定部66は、回転反射板64に前記駆動モータ68の回転を伝達して回転させるためのものであり、本体ケース61側に反射板ギア66Aが形成されているとともに、反射板ギア66Aの反対面に回転反射板64を固定可能に形成されている。そして、反射板ギア66Aと前記減速ギア68Bの小歯車が噛合することにより、駆動モータ68のモータ軸の回転が伝達され、駆動モータ68の駆動に伴い回転反射板64が反射板固定部66と一体で回転するようになっている。
前記回転反射板64は、図１２に示すように、回転中心側に向く凹面を有する反射鏡64Aと、薄型円筒状の台座部64Bとから成り、図１３（Ａ）に示すように、台座部64Bを反射板固定部66に固定したときに、台座部64Bの中央に形成された丸孔64Cから、ソケット69に取り付けたランプ65が突出するようになっている。そして、このランプ65の外周側に前記反射鏡64Aが位置し、回転反射板64が回転することにより、反射鏡64Aがランプ65を中心にして周囲を旋回するようになっている。
【００３７】
前記つなぎ部62は、図１２及び図１３（Ａ）に示すように、取り付け部62Cを介して本体ケース61に着脱自在に固定される環状部材であり、取り付け部62Cの反対側の外周には、レンズ63の内側に形成されたネジ部63Aと螺合するネジ部62Bが形成されている。また、つなぎ部62の円形の開口部62Aは、回転反射板64の台座部64Bの直径よりも大きく形成されており、つなぎ部62を本体ケース61に固定した状態で、回転反射板64が回転可能となるよう形成されている。
そして、回転灯ユニット60は、図５及び図１４に示すように、位置決め部61Bの貫通孔に回転灯支持突起59Bを貫通させて、本体ベース50に本体ケース61を仮固定した状態で、取り付け部61Cと回転灯固定部59Cを背面側からネジ止めすることにより、庇部50Aの下方に吊り下げ固定される。このとき、本体ケース61の正面側は、庇部50Aの正面側垂下壁の裏側に設けられた回転灯受け部50D（図５及び図１０参照）と当設する。このようにして固定した回転灯ユニット60は、図４に示すように、つなぎ部62及び本体ケース61が庇部50Aの正面側垂下壁の後ろ側に隠れ、レンズ63のみが正面側から視認可能となる。
【００３８】
回転灯ユニット60を用いた演出の具体例としては、通常時はランプ65を消灯しておくとともに回転反射板64も停止させておき、遊技中の所定時に、ランプ65を点灯させて回転反射板64を回転させることにより、あるいはランプ65は消灯したまま回転反射板64のみを回転させることにより、当選や入賞を報知することができる。
（スピーカボックス70）
前記スピーカボックス70は、扉枠32に固定されたスピーカ装置35から出力される音声を、遊技機の正面側に向けさせるためのものであり、図６及び図９に示すように、複数の小孔が形成されたグリル面71を有しこのグリル面71の対向側（背面側）が開口する中空の本体箱72と、本体箱72の背面開口を塞ぐ背面板73とから構成されている。
【００３９】
前記本体箱72の上面75は、本体ベース50のステージ部54に形成された開口部54Aと合致するように形成されており、スピーカボックス70を、グリル面71を正面側にしてスピーカボックス収納部53に収納したとき、ステージ部54と上面75が面一になるように形成されている。このように、スピーカボックス70の上面75がステージ部54の一部を兼ねるように形成してあるので、本体ベース50の軽量化を図ることができる。
また、本体箱72の背面側には、図１５に示すように、本体箱72及び背面板73を本体ベース50に固定するための本体固定部70A及び一括固定部70Bが形成されている。本体固定部70Aは、本体箱72の背面側の一方の側端部に設けられた上面視略Ｌ字型の部材であり、横方向に張り出す板部には貫通孔が設けられている。この本体固定部70Aの貫通孔は、本体箱72をスピーカボックス収納部53に収納したとき、スピーカボックス固定部59Eのネジ孔と合致するようになっている（図１６参照）。また、一括固定部70Bは、本体箱72の背面側の前記本体固定部70Aと対向側の側端部に設けられた横方向に張り出す板状部材であり、貫通孔が設けられている。この一括固定部70Bの貫通孔は、本体箱72をスピーカボックス収納部53に収納したとき、スピーカボックス固定部59E'のネジ孔と合致するようになっている（図１６参照）。さらに、一括固定部70Bの上部には、グリル面側が肉薄になった段部であるバックライト支持部70Dが形成されている。
【００４０】
前記背板板73には、中央よりもややずれた位置に略円形の音通孔74が形成されている。音通孔74は、図６に示すように、スピーカボックス70の装着時に扉枠32に設けられたスピーカ装置35のスピーカコーンの位置と合致するように形成されており、スピーカ装置35から出力される音声が、音通孔74からスピーカボックス70の内部を経て、グリル面71に設けられた小孔から座席に座った遊技者の方向に放出されるようになっている。
さらに、背板板73の一方の側端部には、図１５（Ａ）に示すように、前記本体固定部70Aの高さ寸法と合致する凹段部73aが形成されているとともに、凹段部73aの対向側の側端部には、貫通孔を有する張り出し片73bが設けられている。この張り出し片73bの貫通孔は、本体箱72の背面開口を背板板73で塞いだときに、前記一括固定部70Bの貫通孔と合致するようになっており、このとき前記凹段部73aには本体固定部70Aが嵌り込むようになっている。
【００４１】
そして、スピーカボックス70を本体ベース50に固定する場合には、まず本体箱72をスピーカボックス収納部53に本体ベース50の背面側から収納し、本体固定部70Aとスピーカボックス固定部59Eとをネジで固定する。それから、本体箱72の凹段部73aと本体固定部70Aとを係合させ、張り出し片73bを一括固定部70Bの背面側に形成された凹部ｄ（図１６参照）に嵌入して、背板板73で背面開口を塞ぐ。しかる後に一括固定部70Bと張り出し片73bを一括して、スピーカボックス固定部59E'にネジで固定する。
（バックライトユニット80）
バックライトユニット80は、図４及び図９に示すように、回転灯ユニット60の背面側に設置される板状の演出用ユニットであって、図１７に示すように、ベースケース81と、ベースケース81内に収納される導光板82と、導光板82の表面を覆うように前記ベースケース81に取り付けられる表示シート83を有している。
【００４２】
ベースケース81は、略長方形の板部材の周囲に縁部を形成した薄型箱状のケースであり、縁部に囲まれた凹部に導光板収納部84が形成されている。そして、ベースケース81の上縁部外側には、本体ベース50の背面側に設けられたバックライト固定部59Aに固定するための取り付け部81Aが設けられている。一方、ベースケース81の下縁部内側にはＬＥＤ素子86を搭載したＬＥＤ基板が複数個設けられており、下縁部内側には、バックライトユニット80を本体ベース50に取り付ける際にバックライトユニット80を支持するための脚部81B及び垂下突起81Cが設けられている。さらに、前記板収納部84の上側であって縁部に囲まれた凹部の中央部には、ボス85が形成されているとともに、ボス85の両側には、上方に向かって爪部を有する二個の係止爪81a,81aが間隔をあけて設けられている。また、前記導光板収納部84の下端部であって、前記係止爪81a,81aの下方には、下側に向かって爪部を有する二個の係止爪81b,81bが間隔をあけて設けられている。
【００４３】
ここで、前記脚部81Bは、図１８に示すように、本体ベース50に収納固定したスピーカボックス70のバックライト支持部70Dに上側から引っ掛けることができるようになっており、前記垂下突起81Cは、図１９に示すように、バックライトユニット80を本体ベース50に装着したときに、バックライト支持部59Dにより下方から支持されるようになっている。
前記導光板82は、導光板収納部84に収納される薄板状の透光部材であって、設置時における下端面からの入光を正面側に拡散させることができるように形成されている。例えば、特に図示しないが、背面側に凹凸を形成して下端面からの光線を正面側に反射させるようになっている。そして、導光板82を導光板収納部84に収納設置すると、図１９に示すように、その下端面がベースケース81に設けられたＬＥＤ素子86の上側に位置するようになっている。
【００４４】
前記表示シート83は、図９に示すように、ベースケース81の正面側を覆うように取り付けられる透光性を有するフィルムであって、特に図示しないが、表面にはキャラクターの絵などが印刷されている。また、図１７に示すように、表示シート83の中央上端部には、前記ボス85を挿入可能な位置決め孔87が形成されており、この位置決め孔87の両側には、ベースケース81の係止爪81a,81aと係合可能な長孔である係止孔83a,83aが設けられている。また、表示シート83の下端部には、ベースケース81の係止爪81b,81bと係合可能な長孔である係止孔83b,83bが設けられている。
そして、表示シート83は、係止爪81a,81aと係止孔83a,83a、係止爪81b,81bと係止孔83b,83bの係合により、ベースケース81に固定されるものである。表示シート83をベースケース81に取り付ける際には、前記ボス85を位置決め孔87に挿入させることにより、前記係止爪81a,81bと係止孔83a,83bの位置を合致させることができるので、容易に取り付けを行うことができるものである。
【００４５】
バックライトユニット80は、ベースケース81に導光板82を収納した状態で、ＬＥＤ素子86を発光させると、導光板82の正面側が発光し、表示シート83がこの光を透過して、表示シート83の表面が発光して見える。すなわち、導光板82と表示シート83により、バックライトユニット80の発光面88が形成されることとなる。
また、バックライトユニット80を本体ベース50に装着する場合には、図１８に示すように、脚部81Bを、すでに本体ベース50に固定されているスピーカボックス70のバックライト支持部70Dに引っ掛けてから、バックライト支持部70Dを支点として上部を回動させ、固定部81Aとバックライト固定部59Aを合致させて、背面側からネジ止めする。このとき、脚部81Bの背面側にバックライト支持部70Dが重なって、ケースベース81の下側も本体ベース50に係止される。すなわち、ケースベース81の上側二カ所をネジ止めするだけでも、確実にバックライトユニット80を固定することができ、組み立て工程を簡略化することができるものである。
【００４６】
バックライトユニット80を用いた演出の具体例としては、例えば通常時にはＬＥＤ素子86をすべて発光させて発光面88を点灯状態にしておき、遊技中の所定時にＬＥＤ素子86をすべて消灯して発光面88の全体を消灯状態にさせたり、あるいは複数あるＬＥＤ素子86を交互に又は順次点灯点滅させて、発光面88の一部を点灯状態とさせたり、発光面88が端から徐々に点灯又は消灯状態となっていくような表示を行うことにより、当選や入賞を報知することができる。
なお、バックライトユニット80は、表示シート83を絵柄が異なるものに交換するだけで、空間部51の背景を変更することができるので、上扉装飾体６を異なる機種に対応させる場合でも、ベースケース81や導光板82はそのまま再利用できるものである。
【００４７】
（バックライトユニット80による回転灯ユニット60の振動防止）
ここで、本実施の形態おいては、バックライトユニット80のボス85は、表示シート83の取り付けの際の位置決めをするための位置決め部材として機能するだけでなく、回転灯ユニット60を押圧固定する高圧部材としての役割も果たしている。
すなわち、ボス85は、ベースケース81の幅方向の中心（これは回転灯ユニット60の垂直中心軸とも一致する）に位置しているとともに、図１９に示すように、ベースケース81の前端部よりも突出している。そして、回転灯ユニット60を本体ベース50に固定した後、ベースケース81を本体ベース50に固定すると、ボス85の先端部が、回転灯ユニット60の本体ケース61の背面61Dに当接するものである。
【００４８】
そして、図５に示すように、バックライトユニット80を本体ベース50に装着すると、本体ケース61は、ボス85により背面側から押され、その正面側が庇部50Aの正面側垂下壁の裏面にある回転灯受け部50Dに押しつけられる形になる。すなわち、本体ケース61が回転灯受け部50Dとバックライトユニット80との間に挟持され、がたつきが生じることなく強固に固定される。このため、回転灯ユニット60の駆動モータ68の作動や回転反射板64が回転することによる振動を防止することができ、振動に伴う騒音や、ネジの緩みなどを防止することができるものである。
ところで、図１１などに示した例では、本体ケース61には本体ベース50に固定するための取り付け部61Cが二つ設けられているが、上記したように形成されていることから、取り付け部61Cのうち一つを本体ベース50に固定（ネジ止め）するだけでも、あるいはネジ止めが不十分であった場合でも、回転灯ユニット60を本体ベース50に確実に固定可能である。従って、上扉装飾体６の組み立て又は分解時において作業手順を簡略化でき、かつ回転灯ユニット60の固定を確実に行うことができるのである。さらに、取り付け部61C及び回転灯固定部59Cを一つずつ形成した場合でも、回転灯ユニット60を十分に固定することができるため、本体ケース61及び本体ベース51の軽量化及び製造コストの軽減を図ることができる。
【００４９】
なお、表示シート83の位置決め部材としては上記したボス85に限られず、表示シート83をケースベース81に装着する際に表示シート83の適位置を保持することができ、かつバックライトユニット80の取り付け時に回転灯ユニット60の本体ケース61を背面側から押圧可能であれば、どのような形態のものであってもかまわない。また、このような位置決め及び押圧部材が複数設けられていてもよく、あるいは位置決め部材が複数設けられており、そのうちの一つが押圧部材として機能するように形成されていてもよい。さらには、表示シート83をケースベース81に固定するための固定部材が、押圧部材として機能するように形成されていてもよい。
【００５０】
（上扉装飾体６の着脱）
上記構成を有する上扉装飾体６を上扉30の扉枠32に取り付ける場合には、ランプカバー92,93及び正面カバー58を取り付けた本体カバー50に、回転灯ユニット60、スピーカボックス70を固定し、その後、バックライトユニット80を取り付ける。そして、扉枠32の正面側に上扉装飾体６を位置させ、扉枠32の装飾体取り付け部32Aと本体カバー50の扉枠固定部59F、装飾体取り付け部32Bと扉枠固定部59G（図３及び図１０参照）をそれぞれ合致させて、扉枠32の背面側からネジで固定する。上扉装飾体６を取り外す場合には、扉枠32の背面側からネジを外せばよい。
【００５１】
（上扉装飾体６の他の使用例）
上記実施の形態では、前面カバー58を透明な部材で形成してあったが、これを例えばハーフミラーで形成し、バックライトユニット80の発光面88や電飾ユニット130のランプ131を点灯させた場合や回転灯ユニット60を点灯させた場合のみ、空間部51の内部が視認できるように形成してもよいものである。
また、上記実施の形態では、下げ部材として回転灯ユニット60を取り付けた場合について説明したが、上扉装飾体６には、回転灯ユニット60以外の演出ユニットを取り付けてもよいものである。具体的には、図２０に示すように、回転灯支持部59B及び回転灯固定部59Cに、本体ケース61と同形状のあるいは外形寸法の近似する外装ケースに駆動装置を内蔵した役物駆動部110を取り付け、この役物駆動部110の下側に、吊り下げ役物100を取り付けたものとすることができる。
【００５２】
前記吊り下げ役物100は、取り付け時に凹空間部52に位置する動物等の模型やフィギアであって、役物駆動部110に内蔵された駆動装置により作動（例えば回転、揺動、上下動）するものである。そして、遊技中の所定時に、この吊り下げ役物100を動かして、当選の報知その他の演出表示とするものである。
ちなみに上記の場合、スピーカボックス70の上面75に造花140を取り付けて、ステージ部54をお花畑のジオラマとすることもできる。また、特に図示しないが造花140に発光体を取り付けて、遊技状況に合わせて点灯点滅させるようにしてもよい。
さらに、バックライトユニット80は、前面に表示シート83を装着するタイプのものであれば、導光板82以外の面発光体を用いたものであってもよい。また、表示シート83を装着して正面側が発光面88となるのであれば、面発光体を内蔵しなくともよい。例えば、ベースケース81の導光板収納部84に蛍光ランプを取り付けて、表示シート83を裏側から照射するようにしてもよい。
【００５３】
以上のように、本実施の形態によれば、従来のスロットマシンにない立体的な演出を行うことができる演出装飾装置を提供でき、遊技の興趣を高めることができるものである。また、上扉30の扉枠32に上扉装飾体６を取り付ける構造としてあるので、機種交換の際、上扉30を筐体１に残しておいたままでも、上扉装飾体６を交換するだけで全く異なる機種のスロットマシンに変貌させることができ、リサイクル及び機種交換に要するコスト削減に効果的である。
さらに、本体ベース50に取り付けられる各演出用ユニットは、取り付け部を共通化しておけば、図２０に基づき説明したように、全く異なる種類の演出用ユニットに交換することもできる。従って、本体ベース50自体は何度も再利用ができるとともに、各演出ユニットの再利用も容易となり、コストダウン及び資源の有効利用に役立つものである。
【００５４】
そして、バックライトユニット80に設けたボス85が、表示シート83の位置決めと、下げ部材（回転灯ユニット60）の押さえの機能を兼ねるという、効率的な取り付け構造を有しているので、下げ部材の駆動装置による振動を防ぐことができるとともに、上扉装飾体６の組み立てを容易にすることができる。
なお、本発明はスロットマシン以外の遊技機にも応用できるものである。また、演出用装飾体の態様は、上述したものに限られず、種々の演出用ユニットや役物を組み合わせて、様々な態様で実施可能であることはいうまでもない。
【図面の簡単な説明】
【００５５】
【図１】本発明の実施の形態であって、スロットマシンの外観斜視図である。
【図２】本発明の実施の形態であって、前扉を開いたスロットマシンの斜視図である。
【図３】本発明の実施の形態であって、上扉装飾体を取り外した上扉の斜視図である。
【図４】本発明の実施の形態であって、上扉装飾体の正面図である。
【図５】本発明の実施の形態であって、図４のＡ−Ａ線断面図である。
【図６】本発明の実施の形態であって、図４のＢ−Ｂ線断面図である。
【図７】本発明の実施の形態であって、図４のＣ−Ｃ断面図である。
【図８】本発明の実施の形態であって、上扉装飾体の正面カバーを取り外した上扉の斜視図である。
【図９】本発明の実施の形態であって、上扉装飾体の分解斜視図である。
【図１０】本発明の実施の形態であって、上扉装飾体の本体ベースの背面図である。
【図１１】本発明の実施の形態であって、回転灯ユニットの外観斜視図である。
【図１２】本発明の実施の形態であって、回転灯ユニットの分解斜視図である。
【図１３】本発明の実施の形態であって、回転灯ユニットの断面図である。
【図１４】本発明の実施の形態であって、回転灯ユニットの取り付けを示す図である。
【図１５】本発明の実施の形態であって、スピーカボックスの斜視図である。
【図１６】本発明の実施の形態であって、スピーカボックスの取り付けを示す図である。
【図１７】本発明の実施の形態であって、バックライトユニットの分解斜視図である。
【図１８】本発明の実施の形態であって、バックライトユニットの取り付けを示す図である。
【図１９】本発明の実施の形態であって、バックライトユニットの中央縦断面図である。
【図２０】本発明の他の実施の形態であって、上扉装飾体の正面図である。
【符号の説明】
【００５６】
Ｓ  スロットマシン（遊技機）
１  筐体                            ２  リールユニット
３  前扉                            ４  電源ユニット
５  ホッパーユニット                ６  上扉装飾体
11  開口部                          12  中板
13  開口上部                        14  開口下部
15  底板                            16  側板
17  天板                            18  裏板
19  ヒンジ                          20  回転リール
30  上扉                            31  上パネル
32  扉枠                            35  スピーカ装置
40  下扉                            41  操作部
42  メダル投入口                    43  ベットスイッチ
44  スタートスイッチ                45  ストップスイッチ
46  メダル皿                        47  下パネル
48  メダルセレクター
50  本体ベース（ベース部材）       50A  庇部
50B  底部突起                       50C  固定枠
50D  回転灯受け部（下げ部材受け部）
51  空間部                          52  凹空間部
53  スピーカボックス収納部          54  ステージ部
55  電飾体取り付け部                56  ランプカバー固定部
57  正面カバー固定部                58  正面カバー（カバー部材）
59  背面固定部
60  回転灯ユニット（下げ部）        61  本体ケース（本体部）
62  つなぎ部                        63  レンズ（下げ部）
64  回転反射板                      65  ランプ
66  反射板固定部                    67  ソケット
68  駆動モータ                      69  支持部材
70  スピーカボックス                71  グリル面
72  本体箱                          73  背面板
74  音通孔                          75  上面
76  上面開口
80  バックライトユニット(背面塞ぎ部材)81  ベースケース
82  導光板                          83  表示シート
84  導光板収納部                    85  ボス（前面突起）
86  ＬＥＤ素子                      87  位置決め孔
88  発光面
90  電飾体                          91  発光体
92,93  ランプカバー
100  吊り下げ役物（下げ部）         110  役物駆動部（本体部）
140  造花
【図１】
2008023207.tif 000003
【図２】
2008023207.tif 000004
【図３】
2008023207.tif 000005
【図４】
2008023207.tif 000006
【図５】
2008023207.tif 000007
【図６】
2008023207.tif 000008
【図７】
2008023207.tif 000009
【図８】
2008023207.tif 000010
【図９】
2008023207.tif 000011
【図１０】
2008023207.tif 000012
【図１１】
2008023207.tif 000013
【図１２】
2008023207.tif 000014
【図１３】
2008023207.tif 000015
【図１４】
2008023207.tif 000016
【図１５】
2008023207.tif 000017
【図１６】
2008023207.tif 000018
【図１７】
2008023207.tif 000019
【図１８】
2008023207.tif 000020
【図１９】
2008023207.tif 000021
【図２０】
2008023207.tif 000022